(57)【要約】【課題】複合機がジョブ実行指示の他に逐一選択入力を要することなく自動連続給紙部に原稿が無くなった時点で異なるモードで原稿読取り動作を行う。【解決手段】原稿読取り動作を伴う複数のジョブを実行する複合機において，指示入力に応答してジョブの実行を開始し，指示入力をされたジョブが第１のジョブの場合は，表示部は前記自動連続給紙部に原稿が無くなった時点で読取り継続確認を表示し，画像読取り部は確認操作に応答して自動連続給紙部に追加された追加原稿を読取りが終了した読取り終了原稿の続きとして読取りを継続し，指示入力をされたジョブが第２のジョブの場合は，前記画像読取り部は前記自動連続給紙部に原稿が無くなった時点で自動的に読取りを中止する。【選択図】図３
2007129660.tif 000002
【特許請求の範囲】
【請求項１】
原稿読取り動作を伴う複数のジョブを実行する複合機において，
原稿の画像を読取る画像読取り部と，
設置された複数の原稿を自動的に連続して前記画像読取り部に給紙する自動連続給紙部と，
操作入力可能な表示部とを有し，
指示入力に応答してジョブの実行を開始し，
前記指示入力されたジョブが第１のジョブの場合は，前記表示部は前記自動連続給紙部に原稿が無くなった時点で読取り継続確認を表示し，前記画像読取り部は確認操作に応答して前記自動連続給紙部に追加設置された追加原稿を読取りが終了した読取り終了原稿の続きとして読取りを継続し，
前記指示入力されたジョブが第２のジョブの場合は，前記画像読取り部は前記自動連続給紙部に原稿が無くなった時点で自動的に読取りを終了することを特徴とする複合機。  
【請求項２】
請求項１において，
前記複数のジョブを前記第１のジョブまたは前記第２のジョブのいずれかに設定する手段をさらに有することを特徴とする複合機。
【請求項３】
請求項１または２において，
前記画像読取り部が読取った画像を印刷する印刷部と，画像データの送信を行うファクシミリ通信部とを有し，スキャナ機能，コピー機能，及びファクシミリ機能を備え，
前記第１のジョブは，前記読取り終了原稿と追加原稿の画像を連続して読取るスキャナ読取り，前記読取り終了原稿と追加原稿の画像を連続して複数部印刷しながら仕分けを行うソートコピー，前記読取り終了原稿と追加原稿の画像を連続して用紙の表裏両面に印刷する両面コピー，または前記読取り終了原稿と追加原稿の画像データを１度に送信するファクシミリ送信の少なくとも１つであり，
前記第２のジョブは，前記第１のジョブ以外のジョブであることを特徴とする複合機。
【請求項４】
選択入力に応答して異なる原稿読取り動作を伴うジョブを実行する複合機において，
原稿の画像を読取る画像読取り部と，
設置された複数の原稿を自動的に連続して前記画像読取り部に給紙する自動連続給紙部と，
操作入力可能な表示部と，
読取り画像に対する画像処理を行う画像処理部とを有し，
選択入力された原稿読取り動作を伴うジョブの実行を指示入力に応答して開始し，
第１の原稿読取り動作が選択されている場合は，前記表示部は前記自動連続給紙部に原稿が無くなった時点で読取り継続確認とともに継続して読取る画像に対する画像処理の設定確認を表示し，前記画像読取り部は前記自動連続給紙部に追加設置された追加原稿を読取りが終了した読取り終了原稿の続きとして読取りを継続し，前記画像処理部は追加原稿から読取った画像に当該設定された画像処理を施し，
第２の原稿読取り動作が選択されている場合は，前記画像読取り部は前記自動連続給紙部に原稿が無くなった時点で自動的に読取りを終了することを特徴とする複合機。  
【請求項５】
請求項４において，
前記追加原稿から読取った画像に施す画像処理は，前記読取り終了原稿とは画像の読取り色，原稿のサイズ，画像の読取り解像度等が異なる画像処理であることを特徴とする複合機。
【発明の詳細な説明】
【技術分野】
【０００１】
本発明は，原稿読取り動作を伴う複数のジョブを実行する複合機に関し，特に，ジョブの種類に応じて異なる原稿読取り動作を行う複合機に関する。
【背景技術】
【０００２】
読取った原稿の印刷やファクシミリ送信を行う複合機の多くは，複数枚の原稿を連続して自動的に画像読取り部へ給紙するＡＤＦ（Ａｕｔｏ Ｄｏｃｕｍｅｎｔ Ｆｅｅｄｅｒ）装置を備えている。かかる複合機では，ＡＤＦ装置に設置された原稿が無くなった時点で読取りを終了し，印刷やファクシミリ送信などのジョブを実行する。よって，ＡＤＦ装置に一度に設置できる枚数を超える多数の原稿を一括して処理することができず，不都合が生じる場合がある。例えば，多数の原稿をファクシミリ送信する場合には，一度にＡＤＦ装置に設置できる枚数のセットに原稿を分け，１セットごとに読取りとファクシミリ送信を行わなくてはならない。
【０００３】
かかる不都合を解消するために，ＡＤＦ装置の原稿が無くなった原稿切れの時点で，ユーザがＡＤＦ装置に原稿を追加して読取り継続の指示を行い，全ての原稿を一括して処理する方法が提案されている。さらに，特許文献１には，ユーザが複合機にジョブの実行を指示する前に，原稿切れの時点で読取り継続確認をするか否かの原稿読取り動作のモードを選択入力し，複合機はユーザの選択に応じたモードで原稿読取り動作を行う方法が記載されている。
【特許文献１】特開２００３−８７４９４号公報
【発明の開示】
【発明が解決しようとする課題】
【０００４】
しかしながら，すべてのジョブにおいて常にＡＤＦ装置に設置できる枚数を超える多数の原稿を読取る必要があるとは限らないので，従来の技術には次のような問題がある。すなわち，複合機が実行するジョブの種類にかかわらずＡＤＦ装置に原稿が無くなった原稿切れの時点で逐一読取り継続確認を行うとすれば，一度にＡＤＦ装置に設置できる枚数以下の少数の原稿を読取るジョブを実行する場合には，無駄な操作が生じてしまう。また，特許文献１記載の方法のように，ジョブ開始前に読取動作のモード選択を行い，原稿切れの時点で継続確認を行う・行わないを任意に選択することもできるが，ジョブ開始前に逐一選択入力を行わなければならず，結局煩雑な操作となる。
【０００５】
そこで，本発明の目的は，煩雑な操作を必要とせずに，ＡＤＦ装置に原稿が無くなった時点で原稿読取り継続確認を行うモードと，継続確認を行わず自動的に読取りを終了するモードとを使い分けて原稿読取り動作行う複合機を提供することにある。
【課題を解決するための手段】
【０００６】
上記の目的を達成するために，本発明の第１の側面によれば，原稿読取り動作を伴う複数のジョブを実行する複合機において，原稿の画像を読取る画像読取り部と，設置された複数の原稿を自動的に連続して前記画像読取り部に給紙する自動連続給紙部と，操作入力可能な表示部とを有し，指示入力に応答してジョブの実行を開始し，前記指示入力されたジョブが第１のジョブの場合は，前記表示部は前記自動連続給紙部に原稿が無くなった時点で読取り継続確認を表示し，前記画像読取り部は確認操作に応答して前記自動連続給紙部に追加された追加原稿を読取りが終了した読取り終了原稿の続きとして読取りを継続し，前記指示入力されたジョブが第２のジョブの場合は，前記画像読取り部は前記自動連続給紙部に原稿が無くなった時点で自動的に読取りを終了することを特徴とする。
【０００７】
上記第１の側面によれば，ユーザは複合機に実行させたいコピー，スキャン，ファクシミリ送信などのジョブを指示しさえすれば，複合機はそのジョブの種類に応じたモードの原稿読取り動作を自動的に行う。すなわち，原稿の読取り継続の必要性が高いジョブのときは自動連続給紙部に原稿が無くなった原稿切れの時点で読取り継続確認を行い，確認操作に応答してジョブを継続する。一方，原稿読取り継続の必要性が低いジョブのときは原稿切れの時点で前記のような確認を行わず自動的に即時にジョブを終了する。よって，ユーザにとっては明らかに継続確認が必要でないジョブを実行するときにまで確認操作をしたり，ジョブ実行指示の他に逐一原稿読取り動作のモード選択をしたりするなどの無駄な操作が省けるので，利便性が向上する。また，無駄な操作や工程が省略される結果，総じてジョブの実行時間も短縮できる。
【０００８】
上記第１の側面の好ましい実施例によれば，前記複数のジョブを前記第１のジョブまたは前記第２のジョブのいずれかに設定する手段をさらに提供する。また，かかる第１のジョブは，前記読取り終了原稿と追加原稿の画像を連続して読取るスキャナ読取り，前記読取り終了原稿と追加原稿の画像を連続して複数部印刷しながら仕分けを行うソートコピー，前記読取り終了原稿と追加原稿の画像を連続して用紙の表裏両面に印刷する両面コピー，または前記読取り終了原稿と追加原稿の画像データを１度に送信するファクシミリ送信の少なくとも１つであり，前記第２のジョブは，前記第１のジョブ以外のジョブであることを特徴とする。
【０００９】
上記実施例によれば，読取り継続確認を行うモードで原稿読取りを行うジョブをユーザが適宜設定できる。よって，ジョブの実行に際して，必要なときに原稿の読取り継続確認を行う確度を向上させることができ，一層の利便性向上と総体的なジョブの実行時間短縮化を図ることができる。
【００１０】
本発明の第２の側面によれば，選択入力に応答して異なる原稿読取り動作を伴うジョブを実行する複合機において，原稿の画像を読取る画像読取り部と，設置された複数の原稿を自動的に連続して前記画像読取り部に給紙する自動連続給紙部と，操作入力可能な表示部と，読取り画像に対する画像処理を行う画像処理部とを有し，選択入力された原稿読取り動作を伴うジョブの実行を指示入力に応答して開始し，第１の原稿読取り動作が選択されている場合は，前記表示部は前記自動連続給紙部に原稿が無くなった時点で読取り継続確認とともに継続して読取る画像に対する画像処理の設定確認を表示し，前記画像読取り部は前記自動連続給紙部に追加設置された追加原稿を読取りが終了した読取り終了原稿の続きとして読取りを継続し，前記画像処理部は追加原稿から読取った画像に当該設定された画像処理を施し，第２の原稿読取り動作が選択されている場合は，前記画像読取り部は前記自動連続給紙部に原稿が無くなった時点で自動的に読取りを終了することを特徴とする。
【００１１】
上記第２の側面によれば，原稿の読取り継続確認の際に，追加原稿に対する画像処理の設定を変更できる。よって，一連の多数の原稿を読取る場合において，自動連続給紙部に設置する原稿のセットごとに画像処理の設定を変更でき，なおかつ全原稿の読取り画像を１つのファイルとして保存したり，一括して印刷したり，または一度に送信したりすることが可能となる。
【発明を実施するための最良の形態】
【００１２】
以下，図面にしたがって本発明の実施の形態について説明する。但し，本発明の技術的範囲はこれらの実施の形態に限定されず，特許請求の範囲に記載された事項とその均等物まで及ぶものである。
【００１３】
図１は，本実施の形態における複合機の概略構成図である。画像読取り部２０，自動連続給紙部３０，操作表示部４０を有し，さらに印刷部５０，送受信部６０とを備えた複合機を示している。かかる構成の複合機において，自動連続給紙部３０から自動的に連続して給紙される複数の原稿を画像読取り部２０が読取り，スキャン，コピー，ファクシミリ送信などのジョブが実行される。
【００１４】
本実施の形態における複合機は，ユーザが実行を指示したジョブの種類に応じて自動的に異なるモードで原稿読取り動作を行うことを特徴とする。すなわち，自動連続給紙部３０に一度に設置できる枚数を超える多数の原稿を読取る必要性の高いジョブを実行する場合に，自動連続給紙部３０に原稿が無くなった原稿切れの時点でユーザに読取り継続確認を行い，ユーザの継続指示により読取りを継続する。また，その他のジョブを実行する場合には，原稿切れの時点で自動的に読取りを終了する。
【００１５】
このように，原稿の読取り継続の可能性が高いジョブに限定して継続確認を行うことで，ユーザにとっては，その必要のないジョブにおいてまで継続確認操作を行ったり，ジョブ実行指示の他に逐一原稿読取り動作のモード選択をしたりするという無駄を省略できる。よって，ユーザにとって利便性が向上するとともに，総体的なジョブ実行の所要時間が短縮できる。
【００１６】
制御部１０は，ＣＰＵ，ＲＯＭ，及びＲＡＭを備え，複合機全体を制御する中央処理部である。ＲＯＭに格納された制御プログラムに従い，システムバスＢＵＳを介して接続される各部の制御を行う。なお，ＲＯＭを書き換え可能な不揮発性記憶媒体で構成すれば，制御プログラムの内容を変更することも可能である。また，制御部１０は，画像読取り部２０が読取った原稿の画像に対する画像処理を施す画像処理部としても機能する。
【００１７】
画像読取り部２０は，光電変換により原稿の画像から画像信号を生成する。さらに画像信号を画像データに変換して，画像処理を行う制御部１０，画像形成を行う印刷部５０，画像データの送信を行う送受信部６０などに供給する。
【００１８】
自動連続給紙部３０は，画像読取り部２０に対し複数の原稿を１枚ずつ自動的に給紙する公知の機構を有する装置である。原稿の残量を検知する原稿検知手段を備えており，給紙する原稿が無くなった時点で，信号を制御部１０に伝える。制御部１０はこの信号に応答して，制御プログラムに従いジョブの種類に応じたモードの原稿読取り動作を行うよう各部を制御する。
【００１９】
操作表示部４０は，操作入力が可能な表示部であって，表示装置４２と，キー入力装置４４から構成される。一例として，表示装置４２は液晶画面であり，キー入力装置４４はタッチパネルである。操作表示部４０は，原稿切れの場合の読取り継続確認を表示したり，ユーザからのジョブの実行指示の入力や原稿読取り継続の指示入力などを受け付けたりする。なお，操作入力手段として，キー入力装置４４の他に，ハードウェアのプッシュボタンなどによる操作入力手段を設けてもよい。
【００２０】
印刷部５０は，画像読取り部２０から供給される画像データや，送受信部６０で受信した画像データに基づき画像形成を行い，形成された画像を用紙に印刷する。さらに，印刷部５０には，複合機においてコピージョブを実行する場合に，複数のコピーを仕分けする機構や，用紙の両面に印刷するための機構が備えられている。なお，これらの機構はいずれも公知のものである。
【００２１】
送受信部６０は，ファクシミリ通信回路を備えたファクシミリ通信部であり，画像読取り部２０から供給される画像データを圧縮して公衆回線を通じて送信し，また公衆回線を通じて受信した圧縮画像データの伸長を行う。
【００２２】
システムメモリ７０は，制御部１０が制御プログラムを実行するときに必要なデータ等を記憶したり，画像データを一時的に記憶して画像処理やデータの圧縮・伸長などを行ったりするためのワークメモリである。制御部１０のＲＡＭと共用することも可能である。
【００２３】
ネットワーク制御部８０は，ネットワーク接続を行うインターフェースを提供し，ネットワークを介して他の装置やホストコンピュータとのデータ送受信を可能にする。
【００２４】
装着部９０は，外部記憶装置９２を装着可能なハードウェアのインターフェースであり，一例としてはＵＳＢポートを備えたＵＳＢインターフェースである。外部記憶装置９２は，ＵＳＢインターフェースに対応したＵＳＢメモリや，ハードディスクドライブなどの可搬型の記憶装置である。制御部１０は，装着部９０を介して外部記憶装置９２内に，画像読取り部２０により供給される画像データや送受信部６０が受信した画像データなどの書き込みなどを行う。
【００２５】
次に，上述した構成の複合機において，自動連続給紙部３０に原稿が無くなった時点で読取り継続確認を行うジョブについて図２で説明する。本実施の形態では，自動連続給紙部３０に一度に設置できる枚数以上の多数の原稿を読取る可能性が高く，読取った全原稿を一括して処理する必要性が高いジョブについて，原稿の読取り継続確認を行う。そうすることにより，ジョブの実行に際して必要なときに原稿の読取り継続確認を行う確度を向上させることができ，ユーザにとっての利便性が向上する。
【００２６】
図２は，原稿読取り継続確認を行うモードで原稿読取り動作を行うジョブの例を説明する図である。まず，図２（Ａ）を用いて全原稿の画像データを１つのファイルとして保存するスキャナ読取りジョブと，全原稿の画像データを１度に送信するファクシミリ送信ジョブについて説明する。
【００２７】
まず，スキャナ読取りジョブが読取り継続確認を行わないモードで実行されるものとすると，原稿読取りは自動連続給紙部３０に一度に設置できる枚数の原稿セットごとに行われ，ジョブが実行される。ここで，原稿セットＤ１，Ｄ２，及びＤ３は自動連続給紙部３０に一度に設置できる枚数の原稿から成る原稿のセットであるとすると，順次読取られた原稿セットＤ１〜３に対応する３つの画像データファイルが作成され外部記憶装置９２等に保存される。しかし，原稿セットＤ１〜３が一連の原稿である場合には，分割したファイルで保存するのは不都合である。
【００２８】
そこで，こうしたスキャナ読取りジョブは，次のとおり原稿読取り継続確認を行うモードで実行される。まず，ユーザは原稿セットＤ１を自動連続給紙部３０に設置し，操作表示部４０を介してジョブの開始を指示する。指示に応答して画像読取り部２０は読取りを行い，Ｌ枚目の原稿が無くなった時点で，ユーザに継続確認を促す。ユーザは原稿セットＤ２を自動連続給紙部３０に追加しさらに読取り継続指示をすると，読取りが継続される。そして，原稿セットＤ２のＭ枚目の原稿が無くなった時点で，同様にして原稿セットＤ３の読取りが継続される。
【００２９】
すると，画像読取り部２０においては，原稿１枚目から（Ｌ＋Ｍ＋Ｎ）枚目までの連続した原稿の画像データＧＡが生成され，かかる画像データＧＡは一旦システムメモリ７０に格納される。そして，前記画像データＧＡは，外部記憶装置９２やネットワーク上の他の装置などに1つのファイルとして保存される。
【００３０】
ファクシミリ送信ジョブでは，読取り継続確認を行わないモードで原稿読取り動作が実行されると，原稿セットＤ１〜３の各セットごとに読取りと送信が行われるので，３回の送信を必要とする。しかし，原稿読取り継続確認を行うモードで原稿読取り動作が実行されれば，上記同様にして作成された画像データＧＡを，送受信部６０から１度にファクシミリ送信することができる。
【００３１】
次に，図２（Ｂ）を用いて，全原稿の画像を連続して複数部印刷しながら仕分けを行うソートコピージョブについて説明する。まず，図２（Ａ）の原稿セットＤ１〜３に対し原稿読取り継続確認を行わないモードで原稿読取り動作が実行されるとすると，原稿セットＤ１からは，１枚目の原稿からＬ枚目までのコピーが順番に並んだセットが複数部作成される（図２（Ｂ）のコピーセットＣ１）。同様に，図２（Ａ）の原稿セットＤ２，Ｄ３についても，それぞれ原稿の１枚目からＭ枚目あるいはＮ枚目までのコピーが順番に並んだセット（図２（Ｂ）のコピーセットＣ２，Ｃ３）が作成される。しかし，原稿セットＤ１の１枚目から原稿セットＤ３のＮ枚目までが順番に並んだコピーのセットが複数部必要な場合は，コピーセットＣ１〜３を手作業で並べ替えて繋ぎ合わせを行わなければならない。
【００３２】
そこで，このようなソートコピージョブの原稿読取り動作は読取り継続確認を行うモードで実行される。すなわち，図２（Ａ）の説明と同様にして，原稿１枚目から（Ｌ＋Ｍ＋Ｎ）枚目までの画像に対応する画像データＧＡが生成され，かかる画像データは一旦システムメモリ７０に格納される。この画像データＧＡに基づき印刷部５０で複数のコピーの印刷を行い，印刷部５０に備わった機構でコピーをソートすることにより，原稿１枚目から（Ｌ＋Ｍ＋Ｎ）枚目までに対応するコピーセットを複数作成することができる（図２（Ｂ）のコピーセットＣＡ）。
【００３３】
さらに，図２（Ｃ）を用いて，全原稿の画像を連続して用紙両面に印刷する両面コピージョブについて説明する。原稿セットＤ１，Ｄ２は図２（Ａ）と同じものである。まず，原稿セットＤ１の原稿１枚目と２枚目が，１枚目のコピーＢＣ１の表裏両面にコピーされる。
【００３４】
ここで，原稿読取り継続確認を行わないモードで原稿読取り動作とジョブが実行される場合は，原稿セットＤ１の原稿が順次２枚ずつ用紙の表裏両面にコピーされてゆき，最後のＬ枚目がコピーＢＣ２の表面に印刷され，裏面は追加の原稿が無いため空白になる場合が生ずる。つまり，原稿セットＤ１の原稿が全て終了した時点で一旦コピージョブが実行され，原稿セットＤ２の１枚目，２枚目は，別のコピージョブにおいてコピーＢＣ３からコピーされるからである。
【００３５】
そこで，こうした両面コピージョブでは原稿読取り継続確認を行うモードで原稿読取り動作が実行される。すると，原稿セットＤ１のＬ枚目が読取られて一旦画像データがシステムメモリ７０に保存され，継続して原稿セットＤ２の１枚目，つまり全原稿のＬ＋１枚目が読取られて前記メモリに保存されたＬ枚目と一対となってコピーＢＣ１２の表裏面に印刷される。よって，空白が生ずることなく，両面印刷されたコピーＢＣ１１，１２，１３・・・が作成される。
【００３６】
以上のように，多数の原稿を連続して読み込むことの実益が大きいジョブに対して原稿の読取り継続確認を行うことにより，ユーザはこれらのジョブの実行を指示するだけで他の操作を要することなく読取り継続確認を行うモードの原稿読取り動作を確度良く選択でき，利便性が向上する。
【００３７】
なお，かかる読取り動作の対象となるジョブは，上記のジョブに限られず，ユーザは適宜対象となるジョブを設定することができる。ジョブの設定操作は，例えば操作表示部４０を介して行うことができる。操作表示部４０に表示されたジョブの一覧の中からユーザが読取り継続確認を行うジョブを選択してタッチパネルを押すと，制御部１０は変更された設定内容を不揮発性記憶媒体に書き込み，複合機の読取り動作の制御に反映させる。このように，読取り継続確認を行うジョブを最適化することにより，更なる利便性の向上を図ることができる。
【００３８】
図３は，本実施の形態において，ジョブの種類に応じて原稿読取り継続確認を行うモードと，継続確認を行わず自動的に読取りを終了するモードとで原稿読取り動作行う複合機の動作手順を説明するフローチャート図である。まず，ユーザが操作表示部４０から複合機のジョブ実行を指示し（Ｆ１０），制御部１０はこれに応答して，自動連続給紙部３０から画像読取り部２０に原稿を給紙させ原稿読取りを開始する（Ｆ１１）。自動連続給紙部２０が次の原稿が無いことを検知すると（Ｆ１２のＹＥＳ），実行中のジョブが図２において説明したような原稿の読取り継続確認を行うジョブであるかを判断する。
【００３９】
かかるジョブでなければ（Ｆ１４のＮＯ）自動的に読取りを終了する。かかるジョブであれば（Ｆ１４のＹＥＳ），表示装置４２に原稿読取り継続確認画面を表示し（Ｆ１６），ユーザの確認入力を促す。ユーザが読取り継続確認指示を入力した場合（Ｆ１８のＹＥＳ）は，自動連続給紙部３０に追加された原稿に対して読取りを継続する。継続しない指示がされた場合には（Ｆ１８のＮＯ），読取りを終了する。
【００４０】
以上のような処理手順により，ユーザは複合機に実行させたいジョブの指示さえすれば，複合機はそのジョブの種類に応じた原稿読取り動作を行い，原稿の読取り継続の必要性が高いジョブのときは自動連続給紙部に原稿が無くなった時点で読取り継続確認を行う。また，原稿読取りの継続の必要性が低いジョブのときは自動連続給紙部に原稿が無くなった時点で自動的に即時にジョブを終了するので，ユーザにとっての利便性向上と総体的なジョブ実行時間の短縮化を図ることができる。
【００４１】
次に，ユーザの選択入力に応じて異なるモードで読取り動作を行い，読取った画像に異なる画像処理を施す別の実施の形態を説明する。この実施の形態においては，ユーザはジョブの実行指示と，原稿読取り動作のモードの選択入力を行う。かかる選択入力は，例えばジョブの実行指示に先立ち操作表示部４０のタッチパネルやプッシュボタンの押下により可能である。そうすることにより，ユーザは，自動連続給紙部３０の原稿が無くなった時点で，読取り継続確認を行うか否かを選択できる。そして，読取り継続確認を行う場合は，追加原稿に対する画像処理の設定を変更することができる。
【００４２】
図４は，かかる別の実施形態における複合機の動作手順を説明するフローチャート図である。まず，ユーザが操作表示部４０から上述した読取り動作のモード選択（Ｆ２０）と複合機のジョブ実行の指示を行う（Ｆ２１）。制御部１０はこれに応答し，自動連続給紙部３０から画像読取り部２０に原稿を給紙させ，原稿読取りを開始する（Ｆ２２）。自動連続給紙部２０が次の原稿が無いことを検知すると（Ｆ２３のＹＥＳ），読取り継続確認を行う原稿読取り動作のモードが選択されているかを判断する。選択されていなければ（Ｆ２４のＮＯ）直ちに自動的に読取りを終了する。選択されていれば（Ｆ２４のＹＥＳ），表示装置４２に原稿読取り継続確認及び画像処理設定確認のための画面を表示し（Ｆ２６），ユーザの確認入力を促す。
【００４３】
まず，ユーザが画像処理設定変更を選択入力した場合は（Ｆ２８のＹＥＳ），画像処理設定の変更を行う（Ｆ２９）。次に，ユーザが読取り継続確認指示を入力した場合（Ｆ３０のＹＥＳ）は，自動連続給紙部３０に追加された原稿に対して読取りを継続し，追加原稿はＦ２９で変更された画像処理設定に基づき制御部１０において画像処理される。継続しない指示がされた場合には（Ｆ３０のＮＯ），読取りを終了する。
【００４４】
ここで，追加原稿に対する画像処理設定とは，読取り色がカラーであるかモノクロであるかの区別，読取りの解像度，読取った画像データの濃度階調値等の補正の方法，あるいは，読取る原稿のサイズなどの設定をいう。そして，この設定は上記手順Ｆ２９において変更できる。
【００４５】
例えば，読取りが終了した原稿からはモノクロ画像データを生成していた場合に，追加原稿からはカラー画像データを生成し，前記モノクロ画像データと併せて１つのファイルとして保存，ファクシミリ送信などができる。また，読取り済みの原稿と異なる解像度で追加原稿を読取り，全原稿の画像データを一括して処理することができる。また，読取り済みの原稿と異なるテーブルを用いて追加原稿の画像データの濃度階調値等を補正することもできる。あるいは,例えば読取りが終了した原稿はＡ４サイズであったところ，追加原稿はＢ４サイズの原稿を読取り，それぞれ異なる属性を持った画像データを１つのファイルとして保存等することもできる。
【００４６】
なお，かかる画像処理は前記のものに限られない。また，かかる画像処理は制御部１０において画像読取り部２０から供給される画像データに対して行うが，画像読取り部２０において，原稿から読取った画像信号から画像データを生成する際に行っても，印刷部５０で画像形成の際に行ってもよい。
【００４７】
上記の手順により，原稿の読取り継続確認の際に，追加原稿に対する画像処理の設定を変更できる。よって，一連の多数の原稿を読取る場合において，自動連続給紙部に設置する原稿のセットごとに画像処理を変更でき，異なる画像処理を施した画像データを１つのファイルとして一括して保存したり，一括して印刷したり，一度に送信したりすることができる。
【００４８】
図５は，図４で説明した実施形態における，操作表示部４０の読取り継続確認及び画像処理設定確認の画面表示例である。図５（Ａ）は，図４のステップＦ２０に対応する，原稿読取り中に表示される画面の例である。自動連続給紙部３０が原稿が無くなったことを検知して制御部１０に伝え（図４のＦ２３のＹＥＳ），読取り継続確認を行う読取り動作が選択されていれば（図４のＦ２４のＹＥＳ），図５（Ｂ）で示す原稿読取りの継続確認及び画像処理設定確認画面が表示される。この画面は図４のステップＦ２６に対応している。
【００４９】
図５（Ｂ）の継続確認及び画像処理設定確認画面には，タッチパネルボタンである画像処理設定の変更ボタンＢＴ１，読取り継続確認ボタンＢＴ２，及び終了ボタンＢＴ３が配置されている。ボタンＢＴ１が押されると（図４のＦ２８ＹＥＳ），図５（Ｃ）の画像処理設定変更画面が表示され，この画面で画像処理の設定変更を行う（図４のＦ２９）。「読取り色」，「原稿サイズ」などの処理内容がタッチパネルボタンになっており，いずれかが押されるとさらに各処理の設定画面へ遷移してパラメータの選択あるいは入力を促す。
【００５０】
図５（Ｂ）に戻り，ボタンＢＴ２が押されると，読取り継続指示がなされ（図４のＦ３０のＹＥＳ），読取り継続とともに図５（Ａ）の画面が再び表示される。また，ボタンＢＴ３が押されると，読取りを終了する（図４のＦ３０のＮＯ）。
【００５１】
上記のような画面遷移により，ユーザは自動連続給紙部３０に追加設置する原稿のセットごとに画像処理の設定を容易に変更することができる。
【００５２】
なお，上記の別の実施の形態は，先に述べた実施の形態と結合させてもよい。すなわち，別の実施の形態においては，ユーザがジョブの実行指示とは別に選択入力により読取り動作のモードを選択していたが，その代わりに，先に述べた実施の形態のように，実行するジョブの種類によって自動的に原稿読取り動作のモードを選択するようにしてもよい。つまり，図４のステップＦ２０〜２４を図３のステップＦ１０〜１４に置き換えてもよい。
【００５３】
そうすることにより，ユーザはジョブの実行を指示することにより，原稿の読取り継続確認を行うジョブについては，自動連続給紙部３０に原稿が無くなった時点で読取りの継続指示をする際に，追加原稿の画像処理設定を変更することができる。よって，ユーザはより簡便な操作で原稿読取り動作のモードを選択することができ，同時に，一連の多数原稿のうち一部の画像処理の設定を変更することができる。
【００５４】
以上のとおり，本発明によれば，ユーザは複合機に実行させたいコピー，スキャン，ファクシミリ送信などのジョブさえ指示すれば，複合機はそのジョブの種類に応じた原稿読取り動作を行い，原稿の読取り継続の必要性が高いジョブのときは自動連続給紙部に原稿が無くなった時点で読取り継続確認を行い，原稿読取りの継続の必要性が低いジョブのときは自動連続給紙部に原稿が無くなった時点で自動的に即時にジョブを終了する。よって，ユーザは実行するジョブに適した読取り動作のモードを確度良く自動的に選択できるので，操作や工程の無駄を省くことができ，利便性の向上とともに総体的なジョブの実行時間の短縮化を図ることができる。
【図面の簡単な説明】
【００５５】
【図１】本実施の形態における複合機の概略構成図である。
【図２】原稿読取り継続確認を行うモードで原稿読取り動作を行うジョブの例を説明する図である。
【図３】本実施の形態において，ジョブの種類に応じて原稿読取り継続確認を行うモードと，継続確認を行わず自動的に読取りを終了するモードとで原稿読取り動作行う複合機の動作手順を説明するフローチャート図である。
【図４】別の実施形態における複合機の動作手順を説明するフローチャート図である。
【図５】図４で説明した実施形態における，操作表示部４０の読取り継続確認及び画像処理設定確認の画面表示例である。
【符号の説明】
【００５６】
２０：  画像読取り部        ３０：自動連続給紙部
Ｄ１：  原稿セット          Ｃ１：コピーセット
【図１】
2007129660.tif 000003
【図２】
2007129660.tif 000004
【図３】
2007129660.tif 000005
【図４】
2007129660.tif 000006
【図５】
2007129660.tif 000007